(57)【特許請求の範囲】
【請求項１】
戸障子の上框を、鴨居下面の長手方向に刻設された溝内側、又は鴨居下面の長手方向に突設されたレールに沿って摺動自在に支持するための支持具であって、
前記上框上端に起立させて固定される基部と、該基部に設けられた上下方向を向く筒状空間であって、基部上端に開口部を持つ筒状空間に、その上端開口部から上下に昇降自在に挿入された昇降部と、該昇降部を基部の筒状空間から基部上方に突出させる付勢力を昇降部に付与するための付勢手段と、前記昇降部上端に設けられた窪み内側に、前記上框の長手方向に回転自在なように支持されたローラであって、その上部を昇降部上方に突出させたローラと、該ローラ周囲面の長手方向にループ状に形成された連続溝であって、前記鴨居下面に突設されたレールを嵌入、係止させるための連続溝とが備えられ、前記昇降部上部が、昇降部上端の窪み内側に支持された前記ローラと共に、前記鴨居下面の溝内側に嵌入、係止可能な大きさ及び形状に形成されたことを特徴とする戸障子の支持具。
【発明の詳細な説明】
【０００１】
【発明の属する技術分野】
本発明は、戸障子の上框を、鴨居下面に形成された溝内側、又は鴨居下面に突設されたレールに沿って摺動自在に支持するための、戸障子の支持具に関する。
【０００２】
【従来の技術】
障子、襖などの戸障子は、図６に示したように、その上端の横枠に当たる上框１０上端の長手方向に、突条１２が連続して設けられている。
他方、その戸障子の上框１０を支える建物の横柱に当たる鴨居２０下面の長手方向には、上記の上框上端の突条１２を摺動自在に差し込む溝２２が刻設されている。
【０００３】
また、引き戸などの戸障子は、図７に示したように、その上端の横枠に当たる上框１０の長手方向に、細幅の溝１１が連続して形成されている。
他方、その戸障子の上框１０を支える建物の横柱に当たる鴨居２０下面の長手方向には、上記の上框１０上端の細幅の溝１１内側に摺動自在に嵌入、係止させるレール２４が突設されている。
【０００４】
【発明が解決しようとする課題】
しかしながら、上記のような支持構造により、戸障子の上框１０を鴨居２０下面に形成された溝２２内側、又は鴨居２０下面に突設されたレール２４に沿って摺動自在に支持した場合には、鴨居２０が２間（約３．６ｍ）以上等と長いと、その鴨居２０とそれに対向する敷居（図示せず）との間を戸障子を左右に移動させた場合に、その戸障子の上框１０上端に形成された突条１２が鴨居２０下面に形成された溝２２内側から脱落したり、又はその戸障子の上框１０上端に形成された細幅の溝１１内側から鴨居２０下面に突設されたレール２４が脱落したりしてしまった。そして、その戸障子を上框１０とそれに対向する鴨居２０との間を左右に円滑に移動させることができなくなったり、その戸障子が上框１０とそれに対向する鴨居２０との間から外れ落ちたりしてしまった。
【０００５】
その理由は、鴨居２０が、上記のように２間以上等と長いと、その鴨居２０中途部が下方等に大きく撓んでしまうからである。
そのために、その中途部が大きく撓んだ長い鴨居２０とそれに対向する敷居との間の間隔が、その鴨居２０と敷居の中途部と端部とで大きく異なってしまうからである。そして、戸障子を、その長く形成された鴨居２０と敷居との間を左右に抵抗なく円滑に移動させるために、その戸障子の上框１０上端と下框（図示せず）下端との間の距離が、狭い間隔の鴨居２０部分とそれに対向する敷居部分との間の距離にほぼ一致するように、その戸障子の上框１０上端縁やその上框１０に形成された突条１２上端縁や下框下端縁を所定丈分削り落としてしまうからである。そして、戸障子全体の丈を短く調整するからである。
又は、その戸障子の上框１０上端と、下框下端との間の距離が、狭い間隔の鴨居２０部分とそれに対向する敷居部分との間の距離にほぼ一致するように、戸障子全体の丈を短く調整するからである。
その結果、その広い間隔の鴨居２０部分とそれに対向する敷居部分との間の距離に対して、戸障子の上框１０上端やその上框１０に形成された突条１２上端と下框１４下端との間の距離が短くなり過ぎてしまうからである。そして、その広い間隔の鴨居２０部分と敷居部分との間に戸障子を移動させた場合に、その戸障子の上框１０の低く削り落とされた突条１２が、鴨居２０下面に形成された溝２２内側から脱落してしまうからである。
又は、その広い間隔の鴨居２０部分と敷居部分との間に戸障子を移動させた場合に、その丈が低く調整された戸障子の上框１０上端に形成された溝１１内側から鴨居２０下面に突設されたレール２４が脱落してしまうからである。
【０００６】
本発明は、このような課題を解消するためのものであって、広い間隔の鴨居部分とそれに対向する敷居部分との間に戸障子を移動させた場合にも、その鴨居部分と敷居部分との間から戸障子が脱落するのを確実に防ぐことのできる、戸障子の支持具を提供することを目的としている。
【０００７】
【課題を解決するための手段】
上記の目的を達成するために、本発明の戸障子の支持具は、戸障子の上框を、鴨居下面の長手方向に刻設された溝内側、又は鴨居下面の長手方向に突設されたレールに沿って摺動自在に支持するための支持具であって、
前記上框上端に起立させて固定される基部と、該基部に設けられた上下方向を向く筒状空間であって、基部上端に開口部を持つ筒状空間に、その上端開口部から上下に昇降自在に挿入された昇降部と、該昇降部を基部の筒状空間から基部上方に突出させる付勢力を昇降部に付与するための付勢手段と、前記昇降部上端に設けられた窪み内側に、前記上框の長手方向に回転自在なように支持されたローラであって、その上部を昇降部上方に突出させたローラと、該ローラ周囲面の長手方向にループ状に形成された連続溝であって、前記鴨居下面に突設されたレールを嵌入、係止させるための連続溝とが備えられ、前記昇降部上部が、昇降部上端の窪み内側に支持された前記ローラと共に、前記鴨居下面の溝内側に嵌入、係止可能な大きさ及び形状に形成されたことを特徴としている。
【０００８】
この戸障子の支持具においては、その基部を戸障子の上框上端に起立させて固定できる。そして、その基部に設けられた上下方向を向く筒状空間にその上端開口部から上下に昇降自在に挿入された昇降部を、基部の筒状空間を上下に昇降可能な状態とすることができる。そして、その昇降部上部を、基部の上方に突出させたり、基部内側に埋没させたり可能な状態とすることができる。
【０００９】
その際には、昇降部を基部の筒状空間を基部上方に上昇させる付勢力を、付勢手段により、昇降部に付与できる。そして、戸障子を広い間隔の鴨居部分とそれに対向する敷居部分との間に移動させた際に、その上方に位置する鴨居部分の方向に、昇降部を、基部の筒状空間を、付勢手段により、基部上方に上昇させることができる。そして、その昇降部上部を、上方に位置する鴨居部分の高さに合わせて、基部上方に長く突出させることができる。そして、その上昇させた昇降部上部を、昇降部上端の窪み内側に支持されたローラと共に、その上方に位置する鴨居部分の下面に形成された溝内側に容易に外れ落ちぬように適宜長さ嵌入、係止させることができる。
又は、その基部上方に長く突出させた昇降部上端の窪み内側に支持されたローラであって、昇降部上方に突出させたローラ上部の周囲面に形成された連続溝内側に、その上方に位置する鴨居部分の下面に突設されたレールを容易に外れ落ちぬように適宜長さ嵌入、係止させることができる。
【００１０】
逆に、狭い間隔の鴨居部分とそれに対向する敷居部分との間に戸障子を移動させた際には、その下方に位置する鴨居部分の下面に刻設された溝内底面により、昇降部上方に突出させたローラ上部の周囲面を鴨居下方に押すことができる。又は、その下方に位置する鴨居部分の下面に突設されたレールにより、昇降部上方に突出させたローラ上部の周囲面を鴨居下方に押すことができる。そして、そのローラが支持された昇降部を、その下方に位置する鴨居部分の高さに合わせて、基部の筒状空間を、付勢手段の付勢力に抗して、基部内側に降下させることができる。そして、その昇降部上部を、その下方に位置する鴨居部分の高さに合わせて、基部上方に短く突出させることができる。そして、その短く突出させた昇降部上部を、昇降部上端の窪み内側に支持されたローラと共に、その下方に位置する鴨居部分の下面に形成された溝内側に容易に外れ落ちぬように適宜長さ嵌入、係止させることができる。
又は、その基部上方に短く突出させた昇降上端の窪み内側に支持されたローラ周囲面に形成された連続溝内側に、その下方に位置する鴨居部分の下面に突設されたレールを容易に外れ落ちぬように適宜長さ嵌入、係止させることができる。そして、広狭に間隔が変化する鴨居とそれに対向する敷居との間を、戸障子をその鴨居と敷居との間から容易に外れ落ちぬようにして抵抗少なく円滑に左右に移動させることが可能となる。
【００１１】
また、戸障子を鴨居と敷居との間を左右に移動させる際には、昇降部上端の窪み内側に回転自在に支持されたローラを、その鴨居下面の溝内底面を摩擦抵抗少なく転動させることができる。
又は、昇降部上端の窪み内側に回転自在に支持されたローラを、鴨居下面に突設されたレール上を摩擦抵抗少なく転動させることができる。
そして、そのローラを介して鴨居下面の溝内側に支持された戸障子、又はそのローラを介して鴨居下面のレール上に支持された戸障子を、鴨居の左右に摩擦抵抗少なく円滑に移動させることが可能となる。
【００１２】
【発明の実施の形態】
図１と図２は本発明の戸障子の支持具の好適な実施の形態を示し、図１はその正面断面図、図２はその平面図である。以下に、この戸障子の支持具を説明する。
【００１３】
図の戸障子の支持具は、戸障子の上框１０を、図４に示したように、鴨居２０下面の長手方向に刻設された溝２２内側に沿って摺動自在に支持したり、又は、図５に示したように、鴨居２０下面の長手方向に突設されたレール２４に沿って摺動自在に支持したりするための支持具である。
【００１４】
この戸障子の支持具は、図１と図２に示したように、戸障子の上框１０上端に起立させて固定される基部５０と、その基部５０に設けられた上下方向を向く筒状空間５２であって、基部５０上端に開口部を持つ筒状空間５２に、その上端開口部から上下に昇降自在に挿入された昇降部６０と、その昇降部６０を基部の筒状空間５２から基部５０上方に突出させる付勢力を昇降部６０に付与するための付勢手段７０と、昇降部６０上端に設けられた窪み６２内側に、上框１０の長手方向に回転自在なように支持されたローラ８０であって、その上部を昇降部６０上方に突出させたローラ８０と、そのローラ８０周囲面の長手方向にループ状に形成された連続溝９０であって、鴨居２０下面に突設されたレール２４を嵌入、係止させるための連続溝９０とが備えられた構造をしている。昇降部６０上部は、昇降部６０上端の窪み６２内側に支持されたローラ８０と共に、鴨居２０下面の溝２２内側に嵌入、係止可能な大きさ及び形状に形成されている。
【００１５】
基部５０は、上下方向を向く横長の方形筒状をしていて、その下端両側には、板状のアーム５４がそれぞれ延設されている。アーム５４には、該アームを介して基部５０を戸障子の上框１０上端にねじ止めするためのねじ穴５６が設けられている。
昇降部６０は、基部５０の方形筒状をした筒状空間５２の形状に合わせて、その筒状空間５２より若干小さめの横長の方形体状している。
昇降部６０の両側には、その昇降部６０下端に開口部を持つ筒状の盲穴６３が上下方向に向けて開口されている。盲穴６３には、付勢手段７０を構成する圧縮コイルばね７２上部が遊挿されている。昇降部６０下端からその下方に突出したコイルばね７２下端は、基部５０の有底の筒状空間５２内底部に押接されている。そして、そのコイルばね７２が、盲穴６３内底部と昇降部の筒状空間５２内底部との間に挟持されている。
なお、付勢手段７０は、図３に示したように、板ばね７４であっても良い。そして、その板ばね７４を、昇降部６０下端とそれに対向する基部５０の筒状空間５２内底部との間に挟持させても良い。その場合には、昇降部６０下端に、盲穴６３を開口する必要はない。
昇降部６０の両側には、突起５５が突設されている。昇降部６０両側に対向する基部５０両側の側壁には、昇降部６０両側の突起５５を遊嵌する長穴６６が上下に向けて開口されている。そして、その突起５５により、基部の筒状空間５２を上下に昇降させる昇降部６０が基部の筒状空間５２から抜け出て基部５０外方に脱落するのを防ぐことができるように構成されている。
昇降部６０上端には、その昇降部６０上面に開口部を持つ窪み６２か設けられている。そして、その窪み６２内側にローラ８０が支持されている。ローラ８０は、窪み６２両側の昇降部６０の左右の側壁に亙って架設された軸６４周囲に回転自在に支持されている。
【００１６】
図１と図２に示した障子戸の支持具は、以上のように構成されていて、この戸障子の支持具においては、図４や図５に示したように、その基部５０を戸障子の上框１０上端に起立させて固定できる。具体的には、基部５０下端の両側に延設されたアーム５４のねじ穴５６のそれぞれに挿通されたねじ５７を戸障子の上框１０に螺挿して、そのねじ５７及びアーム５４を介して、基部５０を戸障子の上框１０上端に形成された凹部１５内底面などに起立させて固定できる。そして、その基部５０の上下方向を向く筒状空間５２にその上端開口部から上下に昇降自在に挿入された昇降部６０を、その基部の筒状空間５２を上下に昇降可能な状態とすることができる。そして、その昇降部６０上部を、基部５０の上方に突出させたり、基部５０内側に埋没させたり可能な状態とすることができる。
【００１７】
その際には、昇降部６０を基部の筒状空間５２を基部５０上方に上昇させる付勢力を、付勢手段７０のコイルばね７２等により、昇降部６０に付与できる。そして、戸障子を広い間隔の鴨居２０部分とそれに対向する敷居部分との間に移動させた際に、図４や図５に示したように、その上方に位置する鴨居２０部分の方向に、昇降部６０を、基部の筒状空間５２を、付勢手段７０のコイルばね７２等により、基部５０上方に上昇させることができる。そして、その昇降部６０上部を、基部５０上方に長く突出させることができる。そして、図４に示したように、その長く突出させた昇降部６０上部を、その昇降部６０上端の窪み６２内側に支持されたローラ８０と共に、その上方に位置する鴨居２０部分の下面に形成された溝２２内側に容易に外れ落ちぬように適宜長さ嵌入、係止させることができる。
又は、図５に示したように、その上方に位置する鴨居２０部分の高さに合わせて、その基部５０上方に長く突出させた昇降部６０上端の窪み６２内側に支持されたローラ８０を、その上方に位置する鴨居２０部分の方向に上昇させることができる。そして、その昇降部６０上方に突出させたローラ８０上部の周囲面に形成された連続溝９０の内側に、その上方に位置する鴨居２０下面に突設されたレール２４を容易に外れ落ちぬように適宜長さ嵌入、係止させることができる。
【００１８】
逆に、狭い間隔の鴨居２０部分とそれに対向する敷居部分との間に戸障子を移動させた際には、図４や図５に示したように、その下方に位置する鴨居２０部分の下面に形成された溝２２内底面に押接されたローラ８０を、その鴨居２０部分の下方に押したり、又はその下方に位置する鴨居２０部分の下面に設けられたレール２４に押接されたローラ８０を、その鴨居２０部分の下方に押したりできる。そして、昇降部６０を、基部の筒状空間５２を、付勢手段７０のコイルばね７２等の付勢力に抗して、基部５０内側に降下させることができる。そして、その昇降部６０上部を、その下方に位置する鴨居２０部分の高さに合わせて、基部５０上方に短く突出させることができる。そして、図４に示したように、その昇降部６０上部を、昇降部６０上端の窪み６２内側の支持されたローラ８０と共に、その下方に位置する鴨居２０部分の下面に形成された溝２２内側に容易に外れ落ちぬように適宜長さ嵌入、係止させることができる。
又は、図５に示したように、その下方に位置する鴨居２０部分の高さに合わせて、その基部５０上方に短く突出させた昇降部６０上端の窪み６２内側に支持されたローラ８０であって、昇降部６０上方に突出させたローラ８０上部の周囲面に形成された連続溝９０内側に、その下方に位置する鴨居２０部分の下面に突設されたレール２４を容易に外れ落ちぬように適宜長さ嵌入、係止させることができる。
そして、広狭に間隔が変化する鴨居２０とそれに対向する敷居との間を、戸障子をその鴨居２０と敷居との間から容易に外れ落ちぬようにして抵抗少なく円滑に左右に移動させることが可能となる。
【００１９】
また、戸障子を鴨居２０と敷居との間を左右に移動させる際には、昇降部６０上端の窪み６２内側に回転自在に支持されたローラ８０を、それが押接された鴨居下面の溝２２内底面を転動させることができる。
又は、その昇降部６０上端の窪み６２内側に回転自在に支持されたローラ８０を、鴨居２０下面に突設されたレール２４上を転動させることができる。
そして、そのローラ８０を介して鴨居２０下面の溝２２内側に支持された戸障子、又はそのローラ８０を介して鴨居２０下面のレール２４に支持された戸障子を、鴨居２０の左右に摩擦抵抗少なく円滑に移動させることができる。
【００２０】
図１と図２又は図３に示した戸障子の支持具は、戸障子の上框１０上端の左側と右側とにそれぞれ備えると良い。そして、それらの左右一対の戸障子の支持具により、戸障子の上框１０を、鴨居２０下面の溝２２内側又はレール２４上に安定させて容易に外れ落ちぬように左右に摺動自在に支持すると良い。
また、戸障子の上框１０が長かったり、戸障子が重かったりする場合には、その戸障子の上框１０上端の左側と右側とに加えて、その戸障子の上框１０上端の中央部やその中途部にも、戸障子の支持具を備えると良い。そして、それらの３個以上の戸障子の支持具により、戸障子の長い上框１０や重い戸障子の上框１０を鴨居２０下面の溝２２内側やレール２４上に容易に外れ落ちぬように安定させて摺動自在に支持すると良い。
【００２１】
【発明の効果】
以上説明したように、本発明の戸障子の支持具によれば、その支持具を戸障子の上框上端の左側と右側等に備えて、その戸障子の支持具により、戸障子の上框を鴨居下面の溝内側又は鴨居下面のレール上に左右に摺動自在に支持できる。そして、その戸障子を鴨居と敷居との間を左右に移動させた際に、その戸障子が支持された鴨居とそれに対向する敷居との間の間隔が広狭に変化しても、その間隔が広狭に変化する鴨居と敷居との間を、戸障子を、鴨居や敷居から容易に外れさせずに左右に安定させて抵抗少なく円滑かつ確実に摺動させることが可能となる。
【図面の簡単な説明】
【図１】本発明の戸障子の支持具の正面断面図である。
【図２】本発明の戸障子の支持具の平面図である。
【図３】本発明の戸障子の支持具の正面断面図である。
【図４】本発明の戸障子の支持具の使用状態説明図である。
【図５】本発明の戸障子の支持具の使用状態説明図である。
【図６】従来の戸障子の支持構造説明図である。
【図７】従来の戸障子の支持構造説明図である。
【符号の説明】
１０  上框
１２  突条
２０  鴨居
２２  溝
２４  レール
５０  基部
５２  筒状空間
６０  昇降部
６２  窪み
７０  付勢手段
８０  ローラ
９０  連続溝
【図１】
0003549157.tif 000002
【図２】
0003549157.tif 000003
【図３】
0003549157.tif 000004
【図４】
0003549157.tif 000005
【図５】
0003549157.tif 000006
【図６】
0003549157.tif 000007
【図７】
0003549157.tif 000008